(57)【要約】【課題】中空スラブに設置された円筒管内への水の貯留を防止すること。【解決手段】場所打ちコンクリート製の中空スラブに用いられる両端閉鎖の円筒管（１４）であって、その内外両周面に開放する、場所打ちコンクリート中の骨材の通過を阻止する大きさの複数の孔（２２）を有する。【選択図】図２
2005042417.tif 000002
【特許請求の範囲】
【請求項１】
場所打ちコンクリート製の中空スラブに用いられる両端閉鎖の円筒管であって、その内外両周面に開放する、前記場所打ちコンクリートの骨材の通過を阻止する大きさの複数の孔を有する、円筒管。
【請求項２】
前記円筒管は鉄板を螺旋状に巻いてなる、請求項１に記載の円筒管。
【請求項３】
前記複数の孔は、前記円筒管の軸線方向へ伸びる１又は複数の直線上に互いに間隔をおいて設けられている、請求項１又は２に記載の円筒管。
【請求項４】
前記複数の孔は、前記円筒管の螺旋方向に伸びる１又は複数の線上と、前記円筒管の軸線方向へ伸びる１又は複数の直線上とに、それぞれ、互いに間隔をおいて設けられている、請求項１又は２に記載の管。
【請求項５】
互いに間隔をおいて配置されかつ両端を閉鎖された請求項１に記載の複数の円筒管であって各円筒管の複数の孔を下方に向けて設置された複数の円筒管を含む、中空スラブ。
【発明の詳細な説明】
【技術分野】
【０００１】
本発明は、複数の空洞を有する鉄筋コンクリート床スラブ（中空スラブ）及び前記空洞を形成するために前記中空スラブ中への埋設に用いられる円筒管に関する。
【背景技術】
【０００２】
従来、場所打ちコンクリートにより形成された床スラブ中に空洞を規定すべくこれに埋設されるものとして、両端閉鎖の円筒管が用いられている。
【０００３】
ところで、前記円筒管は、中空スラブの重量軽減のため、例えば亜鉛メッキ鉄板のような薄板からなるものが採用されることがある。しかし、このような材質の円筒管は軽量である反面、例えば中空スラブの形成のための鉄筋の組立、配筋等の鉄筋工事中、先に設置された円筒管がこれに当たることがある鉄筋により損傷を受けることがある。また、円筒管の閉鎖端に密閉不良が存することがある。
【０００４】
円筒管の前記損傷や密閉不良は前記円筒管内への雨水のような水の浸入及びこれに伴う水の貯留を許し、これは、中空スラブの施工後における漏水を誘発するおそれがあり、好ましくない。
【特許文献１】特開２００１−１０７４９９号公報
【発明の開示】
【発明が解決しようとする課題】
【０００５】
本発明の目的は、中空スラブに設置された円筒管内への水の貯留を防止することにある。
【課題を解決するための手段】
【０００６】
本発明は、建設現場において直接コンクリートを打設する場所打ちコンクリート製の中空スラブに用いられる両端閉鎖の円筒管に関し、該円筒管は、その内外両周面に開放する、前記場所打ちコンクリート中の骨材の通過を阻止する大きさの複数の孔を有する。
【０００７】
前記円筒管として、鉄板を螺旋状に巻いてなるものとすることができる。前記円筒管の複数の孔は、例えば前記円筒管の軸線方向へ伸びる１又は複数の直線上に互いに間隔をおいて、あるいは、前記円筒管の螺旋方向に伸びる１又は複数の線上と、前記円筒管の軸線方向へ伸びる１又は複数の直線上とに、それぞれ、互いに間隔をおいて設けられる。
【０００８】
本発明は、また、中空スラブに関し、該中空スラブは、互いに間隔をおいて配置された複数の前記円筒管であって各円筒管の複数の孔を下方に向けて設置された複数の円筒管を含む。
【発明の効果】
【０００９】
本発明によれば、場所打ちコンクリート製中空スラブの形成のために設置される円筒管がその内外両周面に開放する複数の孔を有することから、前記円筒管をその複数の孔が下方に向けられるように配置することにより、コンクリートの打設前に降雨にさらされた前記円筒管の内部に浸入することがある雨水のような水を前記孔を通して、速やかに外部に排出することができ、これにより、中空スラブ中における円筒管内への水の貯留を回避することができる。
【００１０】
前記円筒管の孔は場所打ちコンクリート中の骨材の通過を阻止する大きさを有することから、前記孔を通して、前記場所打ちコンクリート中の余剰水、セメントペースト等は流入するが、骨材の侵入は阻止される。また、前記円筒管内に流入する前記余剰水、セメントペースト等は、前記雨水と共に、場所打ちコンクリートの養生過程の間に前記孔を通して前記コンクリート中に排出され、蒸発等される。このため、前記雨水や、余剰水、セメントペースト等が前記円筒管内に溜まることはない。その結果、水の貯留のない空洞がスラブ内に確保される。
【００１１】
前記円筒管は、亜鉛メッキ鉄板のような薄い鉄板を螺旋状に巻いてなる軽量のものを用いることができる。前記複数の孔を、例えば前記円筒管の軸線方向へ伸びる直線上に互いに間隔をおいて、又は前記螺旋の方向に向けて伸びる線上に互いに間隔をおいて設けるときは、前記複数の孔を円筒管の全長にわたって配置することができ、これにより、前記円筒管からの水の排出をより効果的なものとすることができる。
【発明を実施するための最良の形態】
【００１２】
図１を参照すると、本発明に係る円筒管を用いて形成された鉄筋コンクリート床スラブ（中空スラブ）が全体に符号１０で示されている。
【００１３】
中空スラブ１０は、予め設置された板状のスラブ型枠（図示せず）上に下端鉄筋１２、本発明に係る複数の円筒管１４及び上端鉄筋１６を順次配置した後、コンクリート１７を打設し、これを養生することにより形成される。
【００１４】
複数の円筒管１４は、前記スラブ型枠の上方の水平面上に、適当な保持手段（図示せず）により、互いに間隔をおいて配置される。各円筒管１４は、完成した中空スラブ１０中に空洞１８を規定する。
【００１５】
円筒管１４は、鋼製、鉄製、プラスチック製、紙製等の管からなる。図示の例では、重量軽減のため、亜鉛メッキ板のような薄い（例えば厚さ０．４ｍｍの）鉄板を螺旋状に巻いてなる管からなる（図２）。円筒管１４は、その開放両端をそれぞれ閉鎖すべくこれらの端部に密に嵌め込まれた、金属製、プラスチック製等の２つのキャップ２０（図２には一方のキャップのみを示す。）を有する。
【００１６】
このような薄肉の円筒管は、組み立て中における鉄筋や、これを行う作業員が使用する道具（例えばドライバ）や釘などの突き刺さりによる損傷を受けることあり、またキャップ２０による円筒管の密閉性の不具合のため、特に、前記スラブ型枠上への前記円筒管の設置後における降雨等が、前記損傷箇所や円筒管の端部を通して浸入することがある。
【００１７】
このような浸入雨水等からなる水の排出のため、円筒管１４にその内外両周面に開放する複数の孔２２が設けられている。
【００１８】
図示の例では、複数の孔２２は、円筒管１４の螺旋方向へ伸びる複数の線上と、その軸線方向へ伸びる複数の直線上とに、それぞれ、互いに間隔をおいて設けられている。
【００１９】
この例に代えて、前記複数の孔を、前記螺旋方向へ伸びる１又は複数の線上にのみ、あるいは前記軸線方向へ伸びる１又は複数の直線上にのみ設けてもよい。これらの例によれば、前記複数の孔を任意に設ける場合と異なり、円筒管１４に浸入した水を円筒管１４の全長にわたって一様に、また効果的に排出することができる。
【００２０】
ただし、円筒管１４は、複数の孔２２がその軸線方向へ伸びる直線上に設けられている場合には、これらの孔２２が円筒管１４の下部に位置するように、すなわち円筒管１４の下方に向けて開放するように、前記スラブ型枠の上方に配置される。
【００２１】
円筒管１４に設けられる孔２２は、前記打設コンクリート中の骨材の通過を阻止する大きさ、具体的には直径が１０ｍｍ以下、好ましくは２〜５ｍｍの大きさを有する円形の孔からなる。各孔２２は、前記円形以外の形状を有するもの、例えばスリットであってもよい。複数の孔２２の相互間隔（又はピッチ）は、例えば１００ｍｍの内径を有する円筒管１４において、２〜３ｃｍに設定することができる。
【００２２】
前記スラブ型枠の上方に円筒管１４を配置した後、コンクリート１７を打設すると、円筒管１４には、その孔２２を通して、打設コンクリート１７の余剰水、セメントペースト等は流入するが、その骨材は侵入を阻止される。コンクリート１７の打設前において円筒管１４が降雨にさらされ、このために孔２２を通して円筒管１４内に雨水が浸入することがあっても、雨水はすぐに他の孔２２から排出される。このことから、円筒管１４内に雨水が貯留することはない。
【００２３】
また、円筒管１４に流入した前記雨水等の水、前記余剰水、セメントペースは、円筒管１４を取り巻くコンクリート１７が養生過程にあるとき、円筒管の孔２２を通してコンクリート１７中に排出され、前記水及び余剰水は養生過程時における前記コンクリートの発熱により蒸発する。前記コンクリートの固化後においては、コンクリート中に浸透する。
【００２４】
したがって、円筒管１４内に水は残らない。その結果、完成した中空スラブ１０内に円筒管１４が規定する空洞１８が水を含まない状態で形成される。
【図面の簡単な説明】
【００２５】
【図１】中空スラブの概略的な縦断面図である。
【図２】円筒管の部分斜視図である。
【符号の説明】
【００２６】
１０  中空スラブ
１４，２２  円筒管及びその周面に開放する孔
【図１】
2005042417.tif 000003
【図２】
2005042417.tif 000004